(57)【要約】【課題】電源装置を共通にまとめることにより、装置の個数、配線ケーブルの本数を少なくして運搬や操作時の配置を容易にすることが可能な情報処理装置と周辺装置用の電源装置の実現を課題とする。【解決手段】一次直流電源電圧を生成し供給する直流電源生成部１と、この直流電源生成部１が生成し供給する一次直流電源電圧を共通に入力しＰＣ３およびデバイス４ａ〜４ｃのそれぞれに応じた二次直流電源電圧に変換して出力する複数のＤＣ−ＤＣ変換部２２ａ〜２２ｄを有するＤＣ−ＤＣコンバータ部２とを設ける。【選択図】　　　図１
2004135397.tif 000002
【特許請求の範囲】
【請求項１】
情報処理装置と１または複数のその周辺装置に直流電源を供給する電源装置において、
一次直流電源電圧を生成し供給する直流電源生成装置と、
この直流電源生成装置が生成し供給する一次直流電源電圧を共通に入力し、前記情報処理装置および前記周辺装置のそれぞれに応じた二次直流電源電圧に変換する複数の直流電圧変換手段を有する直流電圧変換部とを具備することを特徴とする電源装置。
【請求項２】
前記直流電源生成装置は交流−直流変換アダプタであることを特徴とする請求項１に記載の電源装置。
【請求項３】
前記直流電源生成装置は電池パックであることを特徴とする請求項１に記載の電源装置。
【請求項４】
前記直流電源生成装置と前記直流電圧変換部とは相互に掛合して一体化可能な筐体を有し、それぞれの筐体に一次直流電源電圧供給用の相互接続コネクタと相互掛合用の掛止機構とを具備することを特徴とする請求項１ないし請求項３のいずれかに記載の電源装置。
【請求項５】
前記直流電圧変換部は前記直流電源生成装置から一次直流電圧の供給をうける接続コネクタのほかに、前記直流電源生成装置とは異なる他の直流電源生成装置から一次直流電圧の供給をうける第２の接続コネクタと、
前記接続コネクタまたは前記第２の接続コネクタからの直流電源電圧の入力を選択する入力選択手段を具備することを特徴とする請求項１ないし請求項４のいずれか１項に記載の電源装置。
【請求項６】
前記直流電圧変換部は各直流電圧変換手段の電源投入の順序とタイミングを設定する電源投入タイミング調整手段を有することを特徴とする請求項１ないし請求項５のいずれかに記載の電源装置。
【請求項７】
前記直流電源生成装置が前記情報処理装置用の交流−直流変換アダプタであり、前記直流電圧変換部はこの交流−直流変換アダプタから入力される直流電源電圧を前記情報処理装置にはそのまま出力し、前記周辺装置には前記直流電圧変換手段を介して二次直流電源電圧に変換して出力することを特徴とする請求項１に記載の電源装置。
【請求項８】
情報処理装置と１または複数のその周辺装置に直流電源を分配して供給する電源分配用の直流電圧変換装置であって、
一次直流電源電圧を生成する直流電源生成装置が供給する一次直流電源電圧を共通に入力する入力部と、前記情報処理装置および前記周辺装置のそれぞれに応じた二次直流電源電圧に変換する複数の直流電圧変換手段と、前記変換した二次直流電源電圧をそれぞれに供給する出力部を有することを特徴とする電源分配用の直流電圧変換装置。
【請求項９】
前記電源分配用の直流電圧変換装置が、前記情報処理装置又は前記周辺装置のいずれかの筐体に収められていることを特徴とする請求項８に記載の電源分配用の直流電圧変換装置。
【発明の詳細な説明】
【０００１】
【発明の属する技術分野】
本発明は、電源装置に関し、特にパーソナルコンピュータとその周辺のデバイスの電源装置および電源分配用の直流電圧変換装置に関する。
【０００２】
【従来の技術】
パーソナルコンピュータ、ワードプロセッサ、電子タイプライタなどの携帯可能な情報処理装置では、キーボードなどの操作入力部とディスプレイ部とが一体になったものが多い。ことに、いわゆるノート型と呼ばれるものは、操作入力部上にディスプレイ部が回動自在に支持されていて、収納時には操作入力部上にディスプレイ部が畳み込まれ、使用時にはディスプレイ部を起こして用いるように構成され、可搬性や収納性が優れたものになっている。この種の装置は、また、持ち運んで屋外でも使用できるように本体内部に設けられたり、本体と一体に構成したりすることができるバッテリパックなどのＤＣ（直流）電源部を有し、さらに、商用電源などのＡＣ（交流）電源でも使用できるように、ＡＣ−ＤＣ変換アダプタを有している場合が多い。このＡＣ−ＤＣ変換アダプタ（以下ＡＣアダプタと略す。）はバッテリパックの充電装置としても用いられる場合もある。通常、ＡＣアダプタは装置本体とは別体で装置本体とはケーブルとコネクタを用いて接続するように構成されている。
【０００３】
ところで、このような情報処理装置をその周辺装置と一緒に使用する場合、これらの情報処理装置と周辺装置をいずれもＡＣ電源で使用しようとすると、従来は、情報処理装置用のＡＣアダプタと周辺装置用のＡＣアダプタとを別々に用意する必要があった。従って、装置全体を運搬する場合には、情報処理装置と周辺装置とそれぞれのＡＣアダプタを一緒に持ち運ばねばならず、運搬に不便を感じるという問題があった。また、装置全体をテーブル上に配置して使用する場合は、装置やＡＣアダプタの置き場所に机上のスペースが占領されてしまう、相互の配線が輻輳してしまうという問題があった。
【０００４】
このような問題を解決するため、周辺装置の一つとＡＣアダプタとを一体に形成し、このＡＣアダプタとを一体に形成した周辺装置を経由して情報処理装置に電源を供給することで装置数と布線数とを少なくする試みがある（例えば特許文献１参照）。しかしながら、この方法もあくまで周辺装置の一つとＡＣアダプタを一体化するだけで、周辺装置が２つ以上の場合にそれ以上ＡＣアダプタを減らすことができるわけではない。
【０００５】
【特許文献１】
特開平５−１１９８７２号公報（第２−３頁、第１図）
【０００６】
【発明が解決しようとする課題】
前記のごとく、従来、携帯型の情報処理装置を複数の周辺装置と共にＡＣ電源で使用する場合、情報処理装置と周辺装置にそれぞれＡＣアダプタを用意せねばならず、運搬に不便であり、また、使用時にはスペースを占領するという問題が有った。このような問題は、携帯型の情報処理装置に限ったものではなく、デスクトップ型の情報処理装置と周辺装置との間にも頻繁に起こるものであり、タコ脚配線や配線ケーブルの輻輳、スペースの狭小化を招いている。
【０００７】
本発明はこのような問題を解決して、電源装置を共通にまとめることにより、装置の個数、配線ケーブルの本数を少なくして運搬や操作時の配置を容易にすることが可能な情報処理装置と周辺装置用の電源装置および電源分配用の直流電圧変換装置の実現を課題とする。
【０００８】
【課題を解決するための手段】
前記課題を達成するため、本発明（請求項１）は、情報処理装置と１または複数のその周辺装置に直流電源を供給する電源装置において、一次直流電源電圧を生成し供給する直流電源生成装置と、この直流電源生成装置が生成し供給する一次直流電源電圧を共通に入力し、前記情報処理装置および前記周辺装置のそれぞれに応じた二次直流電源電圧に変換する複数の直流電圧変換手段を有する直流電圧変換部とを具備することを特徴とする。
これにより、情報処理装置とその周辺装置への電源装置を共通にまとめることができ、装置の個数、配線ケーブルの本数を少なくして運搬や操作時の配置を容易にすることができる。
【０００９】
また、前記直流電源生成装置は交流−直流変換アダプタであることを特徴とする（請求項２）。
これにより、商用電源などの交流電源から情報処理装置と周辺装置へ共通に電源を提供することができる電源装置がえられる。
【００１０】
また、前記直流電源生成装置は電池パックであることを特徴とする（請求項３）。
これにより、共通の電池パックから情報処理装置と周辺装置へ共通に電源を提供することができる電源装置がえられる。
【００１１】
また、前記直流電源生成装置と前記直流電圧変換部とは相互に掛合して一体化可能な筐体を有し、それぞれの筐体に一次直流電源電圧供給用の相互接続コネクタと相互掛合用の掛止機構とを具備することを特徴とする（請求項４）。
これにより、前記直流電源生成装置と前記直流電圧変換部とを一体化して用いて構成を集約することができ、装置数と布線数を一層低減することが可能な電源装置を実現することができる。
【００１２】
また、前記直流電圧変換部は前記直流電源生成装置から一次直流電圧の供給をうける接続コネクタのほかに、前記直流電源生成装置とは異なる他の直流電源生成装置から一次直流電圧の供給をうける第２の接続コネクタと、前記接続コネクタまたは前記第２の接続コネクタからの直流電源電圧の入力を選択する入力選択手段を具備することを特徴とする（請求項５）。
これにより、例えば一般の交流−直流変換アダプタからも直流電源電圧の供給をうけることが可能な電源装置を実現することができる。
【００１３】
また、前記直流電圧変換部は各直流電圧変換手段の電源投入の順序とタイミングを設定する電源投入タイミング調整手段を有することを特徴とする（請求項６）。
これにより、電源の一斉投入による突入電流を軽減することができ、また、情報処理装置が電源入力時に正常にデバイスを認識することができる。
【００１４】
また、前記直流電源生成装置が前記情報処理装置用の交流−直流変換アダプタであり、前記直流電圧変換部はこの交流−直流変換アダプタから入力される直流電源電圧を前記情報処理装置にはそのまま出力し、前記周辺装置には前記直流電圧変換手段を介して二次直流電源電圧に変換して出力することを特徴とする（請求項７）。
これにより、直流電源生成部を改めて設ける必要がなくなり、装置を簡略化することができ、装置設置時に占有するスペースを小さくでき、運搬を容易にすることができる。
【００１５】
また、前記課題を達成するため、本発明（請求項８）は、情報処理装置と１または複数のその周辺装置に直流電源を分配して供給する電源分配用の直流電圧変換装置であって、一次直流電源電圧を生成する直流電源生成装置が供給する一次直流電源電圧を共通に入力する入力部と、前記情報処理装置および前記周辺装置のそれぞれに応じた二次直流電源電圧に変換する複数の直流電圧変換手段と、前記変換した二次直流電源電圧をそれぞれに供給する出力部を有することを特徴とする。
これにより、情報処理装置とその周辺装置へ直流電源を供給する装置（例えばＡＣアダプタ）を共通にまとめることができ、機器の個数、配線ケーブルの本数を少なくして運搬や操作時の配置を容易にすることができる。
【００１６】
また、前記電源分配用の直流電圧変換装置が、前記情報処理装置又は前記周辺装置のいずれかの筐体に収められていることを特徴とする。
これにより、例えば後記する図９のように周辺機器の筐体に納められるので、取り扱い易くなる。
【００１７】
【発明の実施の形態】
以下、本発明にかかる電源装置および電源分配用の直流電圧変換部を、添付図面を参照にして詳細に説明する。
【００１８】
図１に本発明にかかる電源装置の一実施形態のブロック図を示す。図１において、符号１は直流電源生成部（直流電源生成装置）、符号２はＤＣ−ＤＣコンバータ部（直流電圧変換部、直流電圧変換装置）、符号３はパーソナルコンピュータ（以下「ＰＣ」と略す）、符号４ａ、４ｂ、４ｃは周辺装置（以下「デバイス」と略す）である。また、直流電源生成部１で、符号１１はＡＣ入力ラインである。また、ＤＣ−ＤＣコンバータ部２で、符号２１は電源選択回路（入力選択手段）であり、符号２２ａ〜２２ｄはＤＣ−ＤＣ変換部である。また、このうち、符号２２ａはＰＣ用ＤＣ−ＤＣ変換部であり、符号２２ｂ〜２２ｄはデバイス用ＤＣ−ＤＣ変換部である。また、符号２３は電源投入タイミング調整部（電源投入タイミング調整手段）であり、符号２４は直流電源生成部コネクタ（接続コネクタ、入力部）であり、符号２５はＡＣアダプタ用ＤＣジャックコネクタ（第２の接続コネクタ、直流電源入力コネクタ）であり、符号２６ａ〜２６ｄは出力コネクタである。このうち、符号２６ａはＰＣ用出力コネクタ（出力部）であり、符号２６ｂ〜２６ｄはデバイス用出力コネクタ（出力部）である。
【００１９】
この一実施形態での機能を説明する。
直流電源生成部１は例えば電流容量の大きいＡＣアダプタで構成され、ＡＣ入力ライン１１から入力される商用電源を所定の一次直流電源電圧に変換する。
ＤＣ−ＤＣコンバータ部２は入力された直流電圧をＰＣ３や各デバイス４ａ〜４ｃに応じた二次直流電源電圧に変換して出力する。直流電源生成部コネクタ２４は直流電源生成部１に接続され、ＡＣアダプタ用ＤＣジャックコネクタ２５は一般のＡＣアダプタに接続されてＤＣ電源を入力する。
【００２０】
直流電源生成部１からの一次直流電源電圧と一般のＡＣアダプタからの入力電圧では電圧が異なる場合が有るので、電源選択回路２１は直流電源生成部コネクタ２４またはＡＣアダプタ用ＤＣジャックコネクタ２５への入力に接続を検出して、接続のあるいずれかの入力を択一的に選択する。なお、一般のＡＣアダプタは電源電圧も３Ｖから３０Ｖぐらいまで多様な種類が有り、しかもジャックコネクタの種類や極性もさまざまである。このため、多様なＡＣアダプタに対応するように、ＡＣアダプタ用ＤＣジャックコネクタ２５として代表的な複数のジャックコネクタを用意して切り替えスイッチで選択するとか、ジャックコネクタ自身を着脱自在にするなどしてこれに対応するようにしてもよい。
【００２１】
ＤＣ−ＤＣ変換部２２ａ〜２２ｄは、電源選択回路２１によって選択された入力一次直流電源電圧をＰＣ３や各デバイス４ａ〜４ｃに応じたそれぞれ固定の二次直流電源電圧に変換して出力する。この固定の電圧は、例えば、ＰＣ３に対してはＤＣ１６〜１９Ｖが供給され、各デバイス４ａ〜４ｃには５Ｖが供給されるといった具合である。必要が有れば、ＰＣ３やデバイス４ａ〜４ｃへの出力電源電圧の値を可変にして、調整するようにすることもできる。
【００２２】
電源投入タイミング調整部２３は、ＤＣ−ＤＣ変換部２２ａ〜２２ｄからの二次直流電源電圧を所定の順序でＰＣ３とデバイス４ａ〜４ｃに給電する。例えば、ＤＣ−ＤＣ変換部２２ｂ〜２２ｄを順に働かしてデバイス用のデバイス用出力コネクタ２６ｂ、２６ｃ、２６ｄという順序で電源を投入して行き、最後にＤＣ−ＤＣ変換部２２ａを働かしてＰＣ用出力コネクタ２６ａに電源を投入する。
【００２３】
このようにすることで、電源の一斉投入による突入電流を軽減することができ、さらに、最後にＤＣ−ＤＣ変換部２２ａを働かせることで、電源入力時にＰＣ３に正常にデバイス４ａ〜４ｃを認識させることができる。ＰＣ用出力コネクタ２６ａ、デバイス用出力コネクタ２６ｂ〜２６ｄは同一の種類のコネクタを用いる。
【００２４】
本実施形態の電源装置は、このような構成を採ることにより、ＰＣ３とデバイス４ａ〜４ｃに対するＤＣ−ＤＣ変換部２２ａ〜２２ｄを一つの構成に統一することができ、また、電源装置へのＡＣ入力ライン１１を一本にまとめることができるので、使用時の布線の数が少なくなり、占有するスペースも小さくなって全体の設置が容易になり、また、装置がまとまるため運搬も容易になる。また、コンセントの数が限られているような場所でも、限られたコンセントを有効に活用することができる。
【００２５】
ところで、図１の実施形態では直流電源生成部１とＤＣ−ＤＣコンバータ部２とが別筐体に分離されたものとして示したが、これらは一体に構成することもできる。図２に一体に構成された場合の電源装置のブロック図を示す。図２で符号１０はこの実施形態の電源装置である。また符号１は直流電源生成部、符号２はＤＣ−ＤＣコンバータ部、符号１１はＡＣ入力ライン、符号２６ａ〜２６ｄは出力コネクタである。便利のため、図１と同一の機能には同一の符号を付けて示している。なお、この図２の電源装置１０は、直流電源生成部１とＤＣ−ＤＣコンバータ部２とが直結されているため、電源選択回路２１は不要である。電源投入タイミング調整部２３はここでは省略して示した。
【００２６】
このような構成を採ることで、電源装置１０が一体化されるため、構成がさらに集約され、布線数が一層少なく、占有するスペースも一層小さくなって全体の設置が容易になり、また、運搬もさらに容易になる。
【００２７】
図３に図１に示す電源装置の簡易型の実施形態を示す。図３において、符号１´はＰＣ３用のＡＣアダプタ、符号２´はＤＣ−ＤＣコンバータ部、符号３はＰＣ、符号４はデバイスで、符号２６ａはＰＣ用出力コネクタ、符号２６ｂはデバイス用出力コネクタである。便利のため、図１と同一の機能には同一の符号を付けて示している。
【００２８】
この実施形態では、図１での直流電源生成部１に変えて、ＰＣ３用のＡＣアダプタ１´（例えばＰＣ３購入時に同梱されていたもの）をそのまま直流電源生成部に用いている。このようにすると、ＰＣ３へはＡＣアダプタ１´からの入力電圧（たとえばＤＣ１６〜１９Ｖ）をそのまま出力すればよいので、ＤＣ−ＤＣコンバータ部２´でＤＣ−ＤＣ変換部２２ａが不要になる。また、入力電圧が決まっているので、図１の電源選択回路２１も不要である。なお、ＰＣ３を購入したときに同梱されているＡＣアダプタ１´は、通常余裕を持ったものが同梱されており、ＰＣ３に電源を供給する以上の能力を持っている。
【００２９】
このように、用いるデバイス４の電流容量がさほど多くない場合は、図３の簡易型の電源装置を用いることで、直流電源生成部１を改めて設ける必要がなくなり、その分、装置を簡略化することができ、装置設置時に占有するスペースを小さくでき、運搬を容易にすることができる。
【００３０】
図４〜図８に、図１のブロック図に示した一実施形態を実現する装置構成の一例の外観図を示す。
図４は直流電源生成部１の外観斜視図で、図４（ａ）はＡＣアダプタで直流電源生成部１を形成する場合の正面図、図４（ｂ）はその後面図である。また、図４（ｃ）は専用バッテリパックで直流電源生成部１を実現した場合の後面図である。
この例で直流電源生成部１は、図５に後記するＤＣ−ＤＣコンバータ部２と図７に示すように一体に構成することができるように作られている。
【００３１】
図４（ａ）で符号１２はＤＣ−ＤＣコンバータ部２との電源接続用の凸状のＤＣ出力コネクタであり、符号１３はＤＣ−ＤＣコンバータ部２との筐体接続用のロック機構である。このＤＣ出力コネクタ１２はＤＣ−ＤＣコンバータ部２と一体化する場合には、ＤＣ−ＤＣコンバータ部２内の受け側にある直流電源生成部コネクタ２４に接続される。ロック機構１３は直流電源生成部１をＤＣ−ＤＣコンバータ部２と一体化する場合に、その爪部がＤＣ−ＤＣコンバータ部２のロック受け部２７と掛合されるように構成されている。なお、このようなロック機構１３とロック受け部２７による直流電源生成部１とＤＣ−ＤＣコンバータ部２の接続は一般的な技術を使用することができる。
【００３２】
ＡＣ電源を用いない場合、図４（ａ），（ｂ）のＡＣ入力ライン１１を有した直流電源生成部１ではなく、図４（ｃ）の専用バッテリパック５を直流電源生成部１として用いることができる。専用バッテリパック５は内部にバッテリを有しており、図４（ａ）の直流電源生成部１のＤＣ出力コネクタ１２と同一のＤＣ出力コネクタから図４（ａ）の直流電源生成部１が出力するのと同じＤＣ電圧を出力する（もちろん電圧は異なるものとすることもできる）。また、ロック機構１３で図４（ａ）の直流電源生成部１の場合と同様にＤＣ−ＤＣコンバータ部２と一体化することができる。
【００３３】
図５はＤＣ−ＤＣコンバータ部２の外観斜視図で、図５（ａ）は後面図、図５（ｂ）は正面図である。直流電源生成部コネクタ２４は直流電源生成部１と一体化した場合、直流電源生成部１のＤＣ出力コネクタ１２と電気的に接続できるように構成されている。ＡＣアダプタ用ＤＣジャックコネクタ（第２の接続コネクタ）２５は直流電源生成部１を用いない場合に一般のＡＣアダプタ（他の直流電源生成装置）に接続するようになっている。ロック受け部２７は直流電源生成部１と一体化する場合に直流電源生成部１のロック機構１３の爪部が掛合するように設けられている。
ＤＣ−ＤＣコンバータ部２の正面には出力コネクタ２６ａ〜２６ｄが設けられている。出力コネクタ２６ａはＰＣ用であり、出力コネクタ２６ｂ〜２６ｄはデバイス用である。
【００３４】
図６にＤＣ−ＤＣコンバータ部２の出力コネクタ２６ａ〜２６ｄと、ＰＣ３やデバイス４ａ〜４ｃの電源入力コネクタを結ぶ電源ケーブル６の外観図を示す。この電源ケーブル６は一方に出力コネクタ２６ａ〜２６ｄと接続されるＤＣ−ＤＣコンバータ側コネクタ６１を、他方にＰＣ３とデバイス４ａ〜４ｃのそれぞれに合わせたＤＣプラグ６２を有する構成になっている。なお、図６に示す電源ケーブル６は、１対１用のものであるが、１対ｎ用のものでもよい。
【００３５】
図７は、直流電源生成部１とＤＣ−ＤＣコンバータ部２を一体化する場合の接続の様子を示す説明図である。図７上段図のようにＤＣ−ＤＣコンバータ部２の後面側に直流電源生成部１を組み合わせ、図７下段図のように直流電源生成部１のＤＣ出力コネクタ１２をＤＣ−ＤＣコンバータ部２の直流電源生成部コネクタ２４に挿入して接続し、直流電源生成部１のロック機構１３の爪部をＤＣ−ＤＣコンバータ部２のロック受け部２７と掛合して一体化する。
このようにすることにより、装置の点数や布線数が少なくなり、運搬の手間が省け、また、装置設置時に占有するスペースを小さくすることができる。
【００３６】
一般的なＡＣアダプタ７をＤＣ−ＤＣコンバータ部２に接続する場合の例を図８に示す。この場合、ＡＣアダプタ７の出力はＤＣ−ＤＣコンバータ部２のＡＣアダプタ用ＤＣジャックコネクタ２５へ入力される。このような構成で、直流電源生成部１からでも一般のＡＣアダプタ７からでも電源電圧を得ることができ、出力電流容量などから入力電源を電源選択回路２１によって選択することができる。
【００３７】
ちなみに、図５（ａ）に示すように、ＤＣ−ＤＣコンバータ部２は後面にＡＣアダプタ用ＤＣジャックコネクタ２５を有しているが、このＡＣアダプタ用ＤＣジャックコネクタ２５は、直流電源生成部１と組み合わせる際の組み合わせ面（接合面）に位置する。このため、本実施形態では組み合わせた後に、ＡＣアダプタ用ＤＣジャックコネクタ２５に図８に示すようなＡＣアダプタ７は接続できない。
【００３８】
ＤＣ−ＤＣコンバータ部２を周辺装置の一つに内蔵させて形成することで、装置数を低減することも可能である。図９にＤＣ−ＤＣコンバータ部２をＭＯ（Ｍａｇｎｅｔｏ　Ｏｐｔｉｃａｌ）ディスクドライブ装置８に内蔵させた例のブロック図を示す。ＤＣ−ＤＣコンバータ部２とＰＣ３間の電源ケーブルは、ＭＯディスクドライブ装置８のＤＣジャック８２とＰＣ３のＤＣジャック３２とを接続する。ＤＣ−ＤＣコンバータ部２がＭＯディスクドライブ装置８に内蔵されている（筐体に納められている）ので、このような接続になる。ここで、ＤＣ−ＤＣコンバータ部２は、デバイス用ＤＣ−ＤＣ変換部２２ｂを備えており、ＰＣ用ＡＣアダプタ１’が供給する一次直流電源電圧を、ＭＯディスクドライブ８１に応じた二次直流電源電圧に変換する。なお、ＰＣ３とＭＯディスクドライブ装置８の間のＵＳＢ（Ｕｎｉｖｅｒｓａｌ　Ｓｅｒｉａｌ　Ｂｕｓ）ケーブルは、ＭＯディスクドライブ装置８のＵＳＢコネクタ８３とＰＣ３のＵＳＢコネクタ３３とを接続する。この図では直流電源生成部がＰＣ用ＡＣアダプタ１´である場合が示されている。このようにすることで、装置数を１つ分減らし、布線数もその分減らすことができる。ちなみに、ＭＯディスクドライブ装置８に電源が入っているときは、ＰＣ３とＭＯディスクドライブ装置８の双方に電源が供給され、ＭＯディスクドライブ装置８の電源が切れているときは、ＰＣ３側のみに電源が供給される。
【００３９】
なお、本発明は以上説明した実施形態に限定されることなく、幅広く変形実施することができる。例えば、周辺装置としてＭＯディスクドライブ装置を例に説明したが、ＣＤ−ＲＷ、ＤＶＤ−ＲＡＭ、ＤＶＤ−ＲＷ、ＨＤＤ、コンパクトフラッシュ（Ｒ）などでもよい。また、情報処理装置としてパソコンを例に説明したが、情報家電などでもよい。また、ＤＣ−ＤＣコンバータ部（直流電圧変換装置）２を独立した筐体（パッケージ）に納めて独立した商品として取り扱い、流通や取引を行うことができる。また、ＤＣ−ＤＣコンバータ部を周辺機器の筐体に納めるようにしたが、情報処理装置の筐体に納めるようにしてもよい。
【００４０】
【発明の効果】
以上説明したように本発明では、一次直流電源電圧を周辺装置のそれぞれに応じた二次直流電源電圧に変換するＤＣ−ＤＣコンバータ部（直流電圧変換部）を設けるようにしたことで、情報処理装置とその周辺装置への電源装置を共通にまとめることができ、装置の個数、配線ケーブルの本数を少なくして運搬や操作時の配置を容易にすることができる効果がある。
【図面の簡単な説明】
【図１】本発明の電源装置の一実施形態のブロック図。
【図２】直流電源生成部とＤＣ−ＤＣコンバータ部とが一体に構成された本発明の電源装置の他の実施形態のブロック図。
【図３】本発明の電源装置の簡易型の実施形態のブロック図。
【図４】本発明の電源装置の外観斜視図であり、（ａ）は直流電源生成部の正面、（ｂ）は後面、（ｃ）は専用バッテリパックの後面を示す。
【図５】本発明の電源装置のＤＣ−ＤＣコンバータ部の外観斜視図であり、（ａ）は後面を、（ｂ）は正面を示す。
【図６】本発明の電源装置のＤＣ−ＤＣコンバータ部の出力コネクタからの電源ケーブルの外観図。
【図７】直流電源生成部とＤＣ−ＤＣコンバータ部を一体化する場合の接続の様子を示す説明図。
【図８】一般的なＡＣアダプタをＤＣ−ＤＣコンバータ部に接続する場合の様子を示す説明図。
【図９】ＤＣ−ＤＣコンバータ部を周辺装置に内蔵させた実施形態のブロック図。
【符号の説明】
１　…　直流電源生成部（直流電源生成装置）
１´…　　ＰＣ用ＡＣアダプタ
２、２´…　ＤＣ−ＤＣコンバータ部（直流電圧変換部）
３　…　パーソナルコンピュータ（ＰＣ、情報処理装置）
３２　…　ＤＣジャック
３３　…　ＵＳＢコネクタ
４、４ａ、４ｂ、４ｃ…　周辺装置（デバイス）
５　…　専用バッテリパック
６　…　電源ケーブル
７　…　ＡＣアダプタ（交流−直流変換アダプタ）
８　…　ＭＯディスクドライブ装置
１１　…　ＡＣ入力ライン
１２　…　ＤＣ出力コネクタ（相互接続コネクタ）
１３　…　ロック機構（相互掛合用の掛止機構）
２１　…　電源選択回路（入力選択手段）
２２ａ〜２２ｄ…　ＤＣ−ＤＣ変換部（直流電圧変換手段）
２３　…　電源投入タイミング調整部（電源投入タイミング調整手段）
２４　…　直流電源生成部コネクタ（相互接続コネクタ）
２５　…　ＡＣアダプタ用ＤＣジャックコネクタ（第２の接続コネクタ）
２６ａ〜２６ｄ…　出力コネクタ
２７　…　ロック受け部（相互掛合用の掛止機構）
６１　…　ＤＣ−ＤＣコンバータ側コネクタ
６２　…　ＤＣプラグ
８１　…　ＭＯディスクドライブ
８２　…　ＤＣジャック
８３　…　ＵＳＢコネクタ
【図１】
2004135397.tif 000003
【図２】
2004135397.tif 000004
【図３】
2004135397.tif 000005
【図４】
2004135397.tif 000006
【図５】
2004135397.tif 000007
【図６】
2004135397.tif 000008
【図７】
2004135397.tif 000009
【図８】
2004135397.tif 000010
【図９】
2004135397.tif 000011